(57)【要約】      （修正有）【課題】エアゾール剤の噴射量や噴射範囲をその用途に応じた最適のものに調整することができ、しかもエアゾール剤の噴射量や噴射範囲を非常に幅広く調整可能とした回転噴射エアゾール装置を提供する。【解決手段】回転体５の支持部５ｃに連通するノズルステム２に、噴射調整手段７を設けたものとしている。そして、前記噴射調整手段７は、ノズルステム２の流通孔ｆ1 の孔径を変える孔径調整部材８とすることができる。さらに、回転体５の支持部５ｃの下端部とノズルステム２の上端部の間に、噴射調整手段７を設けたものとしている。そして、前記噴射調整手段７は、回転体５の縦通路ｆ2 およびノズルステム２の流通路ｆ1 より大径の流通路ｆ9 を有する中継管２０とすることができる。【選択図】図１
2005186043.tif 000002
【特許請求の範囲】
【請求項１】
回転体（５）の支持部（５ｃ）に連通するノズルステム（２）に、噴射調整手段（７）を設けたことを特徴とする回転噴射エアゾール装置。
【請求項２】
前記噴射調整手段（７）が、ノズルステム（２）の流通孔（ｆ1 ）の孔径を変える孔径調整部材（８）であることを特徴とする請求項１記載の回転噴射エアゾール装置。
【請求項３】
前記噴射調整手段（７）が、複数のエアゾール缶（１）のノズルステム（２）の上方に取り付けられた回転体（５）の支持部（５ｃ）との連結管体（１８）であることを特徴とする請求項１記載の回転噴射エアゾール装置。
【請求項４】
前記噴射調整手段（７）が、エアゾール缶（１）のノズルステム（２）の上方に取り付けられた複数の回転体（５）の支持部（５ｃ）にそれぞれ連通する複数の分岐管体（１９）であることを特徴とする請求項１記載の回転噴射エアゾール装置。
【請求項５】
回転体（５）の支持部（５ｃ）の下端部とノズルステム（２）の上端部の間に、噴射調整手段（７）を設けたことを特徴とする回転噴射エアゾール装置。
【請求項６】
前記噴射調整手段（７）が、回転体（５）の縦通路（ｆ2 ）およびノズルステム（２）の流通路（ｆ1 ）より大径の流通路（ｆ9 ）を有する中継管（２０）であることを特徴とする請求項５記載の回転噴射エアゾール装置。
【請求項７】
前記噴射調整手段（７）が、回転体（５）の縦通路（ｆ2 ）およびノズルステム（２）の流通路（ｆ1 ）より小径の流通路（ｆ10）を有する中継管（２１）であることを特徴とする請求項５記載の回転噴射エアゾール装置。
【発明の詳細な説明】
【技術分野】
【０００１】
この発明は、噴射の反動を利用してノズルを回転させながらエアゾール剤を噴射することのできる回転噴射エアゾール装置に関するものである。
【背景技術】
【０００２】
従来、この種の回転噴射エアゾール装置は、害虫の潜む床面等の比較的低位置に効果的に薬剤を散布するために、例えば図１８、１９に示したように、回転するアーム１０１の先端に設けたノズル１０２に、半径方向に向いた噴口１０３と、回転平面内のみにおいて回転円の接線方向への方向成分を有する噴口１０４とが設けられているものが存在する。（特許文献１）。
【特許文献１】特開平１１−５７５３７号公報（第１、２頁、図１〜４）
【発明の開示】
【発明が解決しようとする課題】
【０００３】
しかしながら、上記従来の回転噴射エアゾール装置は、噴射圧の高低差によってしか、エアゾール剤の噴射量や噴射範囲を調整することができず、その噴射圧に高低差をつけるといっても微妙な高低差をつけることは困難であり、エアゾール剤の噴射量や噴射範囲をその用途に応じた最適のものに調整するのは困難であるという問題点を有していた。
【０００４】
また、上記従来の回転噴射エアゾール装置は、噴射圧の高低差によってエアゾール剤の噴射量や噴射範囲を調整することができるといっても、その噴射圧の高低は安全性等の面から許容範囲が制限されており、エアゾール剤の噴射量や噴射範囲もその限られた範囲でしか調整することができないという問題点を有していた。
【０００５】
そこで、この発明は、上記従来の問題点を解決することをその課題としており、エアゾール剤の噴射量や噴射範囲をその用途に応じた最適のものに調整することができ、しかもエアゾール剤の噴射量や噴射範囲を非常に幅広く調整可能とした回転噴射エアゾール装置を提供することを目的としてなされたものである。
【課題を解決するための手段】
【０００６】
そのため、この発明は、回転体５の支持部５ｃに連通するノズルステム２に、噴射調整手段７を設けたものとしている。
【０００７】
そして、この発明では、前記噴射調整手段７を、ノズルステム２の流通孔ｆ1 の孔径を変える孔径調整部材８とすることができる。
【０００８】
さらに、この発明では、前記噴射調整手段７を、複数のエアゾール缶１のノズルステム２の上方に取り付けられた回転体５の支持部５ｃとの連結管体１８とすることができる。
【０００９】
また、この発明では、前記噴射調整手段７を、エアゾール缶１のノズルステム２の上方に取り付けられた複数の回転体５の支持部５ｃにそれぞれ連通する複数の分岐管体１９とすることができる。
【００１０】
また、この発明は、回転体５の支持部５ｃの下端部とノズルステム２の上端部の間に、噴射調整手段７を設けたものとしている。
【００１１】
そして、この発明では、前記噴射調整手段７を、回転体５の縦通路ｆ2 およびノズルステム２の流通路ｆ1 より大径の流通路ｆ9 を有する中継管２０とすることができる。
【００１２】
さらに、この発明では、前記噴射調整手段７を、回転体５の縦通路ｆ2 およびノズルステム２の流通路ｆ1 より小径の流通路ｆ10を有する中継管２１とすることができる。
【発明の効果】
【００１３】
この発明の回転噴射エアゾール装置は、以上に述べたように構成されているので、エアゾール剤の噴射量や噴射範囲をその用途に応じた最適のものに調整することができ、しかもエアゾール剤の噴射量や噴射範囲を非常に幅広く調整できるものとなった。
【発明を実施するための最良の形態】
【００１４】
以下、この発明の回転噴射エアゾール装置を実施するための最良の形態について詳細に説明する。
【００１５】
先ず、この発明の回転噴射エアゾール装置は、エアゾール缶１の上端に突き出しているノズルステム２に嵌装された取付体３に回転ヘッド４が取り付けられている。回転ヘッド４は取付体３に嵌入されている中央の回転体５とそのアーム５ａの先端に取り付けられた噴射ノズル５ｂから成っている。噴射ノズル５ｂには、回転平面内で接線方向に向いている噴口６ａを設け、必要に応じ回転体５の半径方向に向いている噴口６ｂを設けている。
【００１６】
前記ノズルステム２には、噴射調整手段７を設けたものとしており、この噴射調整手段７は、後に述べるようなノズルステム２の流通孔ｆ1 の孔径を変える孔径調整部材８などとしている。さらに、前記噴射調整手段７は、回転体５の支持部５ｃの下端部とノズルステム２の上端部の間に設けたものとしてもよい。そして、前記回転体５は、ノズルステム２に取付体３を介して回転自在に連結され、このノズルステム２の流通路ｆ1 に連通する縦通路ｆ2 を有する支持部５ｃと、この支持部５ｃの縦通路ｆ2 に連通する横通路ｆ3 を有する前記アーム５ａと、さらにこの横通路ｆ3 の先端側に取り付けた前記噴射ノズル５ｂとからなる。なお、この発明の回転噴射エアゾール装置は、図１、２に示したものでは、噴射調整手段７を孔径調整部材８としており、ノズルステム２の流通路ｆ1 に拡張部９を設けたものとし、噴射量を変えるようにしている。
【００１７】
前記回転噴射エアゾール装置を噴射状態にするには、図１の中心線Ｘ−Ｘの左側の状態から回転ヘッド４を押し下げて中心線Ｘ−Ｘの右側の状態にする。すなわち、回転ヘッド４と共に取付体３が押し下げられ、ノズルステム２も押し下げられ、噴射状態にすると共に、図示したように取付体３の係合部３ａがエアゾール缶１のマウント１ａに係合され、噴射状態を維持する。ノズルステム２の流通路ｆ1 から噴射された液体Ｌは、支持部５ｃの縦通路ｆ2 、アーム５ａの横通路ｆ3 を経て噴射ノズル５ｂに達する。噴射ノズル５ｂに半径方向の噴口６ｂを設けている場合には、この噴口６ｂから液体Ｌの一部が半径方向にまっすぐに噴射され、残りの液体Ｌは接線方向に向く噴口６ａから噴射されるので、回転体５が回転する。回転噴射されて霧状となった液体Ｌは、水平方向に広く、均一に噴射されることになる。
【００１８】
このような回転噴射エアゾール装置において、孔径調整部材８は、図３に示したような、ノズルステム２の流通路ｆ1 より大径の流通路ｆ4 を有する円筒体１０としたり、図４に示したような、ノズルステム２の流通路ｆ1 より小径の流通路ｆ5 を有する円筒体１１としたものとしている。このようにすることにより、液体Ｌの噴射量を多くしたり、少なくすることができる。
【００１９】
さらに、前記孔径調整部材８は、図５に示したような、内側挿入部１２ａを形成して、内径を徐々に小さくした複数の短筒体１２を、ノズルステム２の上部に着脱自在に連結したものとしている。このようにすることにより、液体Ｌの噴射量を少なくすることができる。
【００２０】
また、前記孔径調整部材８は、図６に示したような、液体Ｌの供給側から排出側にかけて広がるようにテーパー状にした流通路ｆ6 を筒内面に設けた円筒体１３としたものとしたり、図７に示したような、液体Ｌの供給側から排出側にかけて狭まるようにテーパー状にした流通路ｆ7 を筒内面に設けた円筒体１４としたものとしている。このようにすることにより、液体Ｌの噴射量を少なくすることができる。
【００２１】
さらに、前記孔径調整部材８は、図８に示したような、外側嵌合部１５ａを形成して、ノズルステム２の流通路ｆ1 より徐々に細くした流通路ｆ8 を有する複数の短筒体１５をノズルステム２に着脱自在に連結したものとしたり、図示していないが、外側嵌合部を形成して、ノズルステム２の流通路ｆ1 より徐々に太くした流通路を有する複数の短筒体をノズルステム２に着脱自在に連結したものとしている。このようにすることにより、液体Ｌの噴射量を多くしたり、少なくすることができる。
【００２２】
また、前記孔径調整部材８は、図９に示したような、ノズルステム２の上部を蛇腹状１６にして、このノズルステム２の上部を伸縮自在にしたものとしたり、図１０ａ、１０ｂに示したような、ノズルステム２の上部に取り付けられた蛇腹管体１７とすることができる。この蛇腹管体１７は、図１０ａに示したもののように長くしたり、図１０ｂに示したもののように短くしたりすることができる。このようにすることにより、液体Ｌの噴射量を変えたり、液体Ｌの噴射する粒子径を変えることができる。
【００２３】
さらに、この発明では、前記噴射調整手段７を、図１１に示したような、複数のエアゾール缶１のノズルステム２の上方に取り付けられた回転体５の支持部５ｃとの連結管体１８とすることができる。このようにすることにより、液体Ｌの噴射量を多くすることができる。
【００２４】
また、この発明では、前記噴射調整手段７を、図１２に示したような、エアゾール缶１のノズルステム２の上方に取り付けられた複数の回転体５の支持部５ｃにそれぞれ連通する複数の分岐管体１９とすることができる。このようにすることにより、液体Ｌの噴射範囲を広範囲にすることができる。
【００２５】
さらに、この発明では、前記噴射調整手段７を、図１３に示したような、回転体５の縦通路ｆ2 の下端部と、ノズルステム２の流通路ｆ1 の上端部との間に、回転体５の縦通路ｆ2 およびノズルステム２の流通路ｆ1 より大径の流通路ｆ9 を有する中継管２０を設けたものとすることができる。このようにすることにより、液体Ｌの噴射量を多くすることができる。
【００２６】
また、この発明では、前記噴射調整手段７を、図１４に示したような、回転体５の縦通路ｆ2 の下端部と、ノズルステム２の流通路ｆ1 の上端部との間に、回転体５の縦通路ｆ2 およびノズルステム２の流通路ｆ1 より小径の流通路ｆ10を有する中継管２１を設けたものとすることができる。このようにすることにより、液体Ｌの噴射量を少なくすることができる。
【００２７】
さらに、この発明では、前記噴射調整手段７を、図１５に示したような、スポンジ等の弾性体２２を内面に有した中継管２３の下端をノズルステム２の上端に挿入することにより、回転体５の縦路ｆ2 の下端部と、ノズルステム２の流通路ｆ1 の上端部との間に、前記中継管２３を設けたものとすることができる。このようにすることにより、前記中継管２３を設ける場合にノズルステム２の上端に適合させることができると共に、液体Ｌの噴射量を多くすることができる。
【００２８】
また、この発明では、前記噴射調整手段７を、図１６に示したような、下端内面をテーパー状にした中継管２４の下端をノズルステム２の上端に挿入することにより、回転体５の縦路ｆ2 の下端部と、ノズルステム２の流通路ｆ1 の上端部との間に、前記中継管２４を設けたものとすることができる。このようにすることにより、前記中継管２４を設ける場合にノズルステム２の上端に適合させることができると共に、液体Ｌの噴射量を多くすることができる。
【００２９】
さらに、この発明では、前記噴射調整手段７を、図１７に示したような、回転体５の縦路ｆ2 の下端部と、ノズルステム２の流通路ｆ1 の上端部との間に、内面に凸部２５を形成した中継管２６を設けたものとしたり、図示していないが、回転体５の縦路ｆ2 の下端部と、ノズルステム２の流通路ｆ1 の上端部との間に、内面に凹部を形成した中継管を設けたものとすることができる。このようにすることにより、液体Ｌの噴射量を変えたり、液体Ｌの噴射する粒子径を変えることができる。
【図面の簡単な説明】
【００３０】
【図１】この発明の回転噴射エアゾール装置の第１実施形態の垂直断面図である。
【図２】この発明の回転噴射エアゾール装置の第１実施形態の回転体の水平断面図である。
【図３】この発明の回転噴射エアゾール装置の第２実施形態の孔径調整部材の垂直断面図である。
【図４】この発明の回転噴射エアゾール装置の第３実施形態の孔径調整部材の垂直断面図である。
【図５】この発明の回転噴射エアゾール装置の第４実施形態の孔径調整部材の垂直断面図である。
【図６】この発明の回転噴射エアゾール装置の第５実施形態の孔径調整部材の垂直断面図である。
【図７】この発明の回転噴射エアゾール装置の第６実施形態の孔径調整部材の垂直断面図である。
【図８】この発明の回転噴射エアゾール装置の第７実施形態の孔径調整部材の垂直断面図である。
【図９】この発明の回転噴射エアゾール装置の第８実施形態の孔径調整部材の垂直断面図である。
【図１０ａ】この発明の回転噴射エアゾール装置の第９実施形態の孔径調整部材の垂直断面図である。
【図１０ｂ】この発明の回転噴射エアゾール装置の第１０実施形態の孔径調整部材の垂直断面図である。
【図１１】この発明の回転噴射エアゾール装置の第１１実施形態の斜視図である。
【図１２】この発明の回転噴射エアゾール装置の第１２実施形態の斜視図である。
【図１３】この発明の回転噴射エアゾール装置の第１３実施形態の噴射調整手段の垂直断面図である。
【図１４】この発明の回転噴射エアゾール装置の第１４実施形態の噴射調整手段の垂直断面図である。
【図１５】この発明の回転噴射エアゾール装置の第１５実施形態の噴射調整手段の垂直断面図である。
【図１６】この発明の回転噴射エアゾール装置の第１６実施形態の噴射調整手段の垂直断面図である。
【図１７】この発明の回転噴射エアゾール装置の第１７実施形態の噴射調整手段の垂直断面図である。
【図１８】従来の回転噴射エアゾール装置の垂直断面図である。
【図１９】従来の回転噴射エアゾール装置の回転体の水平断面図である。
【符号の説明】
【００３１】
１  エアゾール缶
２  ノズルステム
５  回転体
５ｃ  支持部
７  噴射調整手段
８  孔径調整部材
１８  連結管体
１９  分岐管体
２０  中継管
２１  中継管
ｆ1   流通路
ｆ2   縦通路
ｆ9   流通路
ｆ10  流通路
【図１】
2005186043.tif 000003
【図２】
2005186043.tif 000004
【図３】
2005186043.tif 000005
【図４】
2005186043.tif 000006
【図５】
2005186043.tif 000007
【図６】
2005186043.tif 000008
【図７】
2005186043.tif 000009
【図８】
2005186043.tif 000010
【図９】
2005186043.tif 000011
【図１０ａ】
2005186043.tif 000012
【図１０ｂ】
2005186043.tif 000013
【図１１】
2005186043.tif 000014
【図１２】
2005186043.tif 000015
【図１３】
2005186043.tif 000016
【図１４】
2005186043.tif 000017
【図１５】
2005186043.tif 000018
【図１６】
2005186043.tif 000019
【図１７】
2005186043.tif 000020
【図１８】
2005186043.tif 000021
【図１９】
2005186043.tif 000022